(57)【特許請求の範囲】
【請求項１】
撮像地に配置された撮像用ビデオカメラと、前記撮像用ビデオカメラによって撮像された映像を投影地に伝送する映像伝送手段と、投影地に配置され前記映像伝送手段によって伝送された映像を投影表示する映像投影装置とを備えた映像伝送システムにおける映像の撮像完了からその撮像した映像の信号を送出、伝送、および受信して映像を投影表示する投影完了までの時間を映像伝送時間として測定する映像伝送時間測定システムにおいて、
撮像地に配置され明状態と暗状態とを繰り返す点滅マーカと、
前記映像投影装置によって投影表示される前記点滅マーカの映像の明暗状態の変化を検出すると共に検出した旨の検出信号を出力する受光センサと、
撮像地に配置され一定の単位時間経過とともに刻時して各時刻を一意的に表示する撮像地刻時タイマと、
投影地に配置され前記撮像地刻時タイマに同期して刻時を開始し、一定の単位時間経過とともに刻時して各時刻を一意的に表示可能であり、前記受光センサからの前記検出信号を受信し、その受信の時に刻時時刻の表示を所定時間だけ固定するか、または、その受信時毎に刻時時刻の表示を更新すると共に固定する投影地刻時タイマと、
投影地に配置されて前記映像投影装置によって投影表示された映像と前記投影地刻時タイマとを並べて撮像すると共に撮像した映像を記録する測定用カメラと、を備え、
前記撮像用ビデオカメラによって前記撮像地刻時タイマと前記点滅マーカとを一緒に撮像し、その撮像された映像を前記映像伝送手段によって伝送した後、前記映像投影装置によって投影表示し、
前記映像投影装置に投影表示された前記撮像地刻時タイマの映像と、前記受光センサからの出力に応じて刻時時刻の表示が固定された状態にある前記投影地刻時タイマとを同時に前記測定用カメラによって撮像し、
前記測定用カメラによって撮像された映像から前記両刻時タイマの刻時時刻を読みとることにより前記映像伝送時間を決定するようにしたことを特徴とする映像伝送時間測定システム。
【請求項２】
前記撮像用ビデオカメラによって撮像された前記点滅マーカと前記撮像地刻時タイマの映像のうち、前記点滅マーカの方が、前記撮像地刻時タイマよりも時間的に後に、前記映像投影装置によって描画されるように投影表示されることを特徴とする請求項１に記載の映像伝送時間測定システム。
【請求項３】
前記点滅マーカの明状態と暗状態とを繰り返す時間間隔が、前記撮像用ビデオカメラによる撮像周期よりも長いことを特徴とする請求項１または請求項２に記載の映像伝送時間測定システム。
【請求項４】
前記撮像地刻時タイマと前記投影地刻時タイマとは、それぞれ、一定の単位時間経過とともに順番に点灯して消灯する複数個の発光源を配列して構成されると共に、桁上がり時刻を表示する複数個の発光源を備えていることを特徴とする請求項１乃至請求項３のいずれか一項に記載の映像伝送時間測定システム。
【請求項５】
前記測定用カメラによって撮像された画像データを画像処理して前記撮像地刻時タイマおよび前記投影地刻時タイマの刻時時刻を読みとる画像処理手段を備えたことを特徴とする請求項１乃至請求項４のいずれか一項に記載の映像伝送時間測定システム。
【請求項６】
前記受光センサからの前記検出信号を受信することにより、前記映像投影装置に投影表示された前記撮像地刻時タイマの映像と、前記受光センサからの出力に応じて刻時時刻の表示が固定された状態にある前記投影地刻時タイマとを撮像するように前記測定用カメラを制御する測定用カメラ制御装置を備えたことを特徴とする請求項１乃至請求項５のいずれか一項に記載の映像伝送時間測定システム。
【請求項７】
前記点滅マーカを複数備えたことを特徴とする請求項１乃至請求項６のいずれか一項に記載の映像伝送時間測定システム。
【請求項８】
撮像地に配置された撮像用ビデオカメラと、前記撮像用ビデオカメラによって撮像された映像を投影地に伝送する映像伝送手段と、投影地に配置され前記映像伝送手段によって伝送された映像を投影表示する映像投影装置とを備えた映像伝送システムにおける映像の撮像完了からその撮像した映像の信号を送出、伝送、および受信して映像を投影表示する投影完了までの時間を映像伝送時間として測定する映像伝送時間測定方法において、
撮像地に配置され一定の単位時間経過とともに刻時して各時刻を一意的に表示する撮像地刻時タイマと、同じく撮像地に配置され一定時間毎に明状態と暗状態とを繰り返す点滅マーカとを一緒に前記撮像用ビデオカメラによって撮像し、その撮像された映像を前記映像伝送手段によって伝送した後、前記映像投影装置によって投影表示する第１の工程と、
前記第１の工程によって投影表示される前記点滅マーカの映像の明暗状態の変化を検出し、その明暗状態の変化が検出された時に、投影地に配置され前記撮像地刻時タイマに同期して刻時を開始し、一定の単位時間経過とともに刻時して各時刻を一意的に表示する投影地刻時タイマの刻時時刻の表示を所定時間だけ固定する第２の工程と、
前記第１の工程によって投影表示された前記撮像地刻時タイマの映像と、前記第２の工程によって刻時時刻の表示が固定された状態にある投影地刻時タイマとを同時に測定用カメラによって撮像する第３の工程と、
前記第３の工程によって得られた撮像地刻時タイマの映像および投影地刻時タイマの映像から両刻時タイマの刻時時刻を読みとり、その読みとり値に基づいて前記映像伝送システムの映像伝送時間を決定する第４の工程と、を備えることを特徴とする映像伝送時間測定方法。
【請求項９】
前記第２の工程において、前記投影地刻時タイマの刻時時刻の表示を固定する前記所定時間が次の明暗状態の変化を検出するまでの時間であり、変化の検出時毎に前記投影地刻時タイマの刻時時刻の表示を更新すると共に固定することを特徴とする請求項８に記載の映像伝送時間測定方法。
【請求項１０】
前記第１の工程において、前記撮像用ビデオカメラによって撮像された前記点滅マーカと前記撮像地刻時タイマの映像のうち、前記点滅マーカの方が、前記撮像地刻時タイマよりも時間的に後に、前記映像投影装置によって描画されるように投影表示されることを特徴とする請求項８または請求項９に記載の映像伝送時間測定方法。
【請求項１１】
前記点滅マーカの明状態と暗状態とを繰り返す時間間隔が、前記撮像用ビデオカメラによる撮像周期よりも長いことを特徴とする請求項８乃至請求項１０のいずれか一項に記載の映像伝送時間測定方法。
【請求項１２】
前記測定用カメラによる撮像間隔が前記映像投影装置による映像投影周期よりも短いことを特徴とする請求項８乃至請求項１１のいずれか一項に記載の映像伝送時間測定方法。
【発明の詳細な説明】
【技術分野】
【０００１】
本発明は、既存の映像伝送システムにおける映像の撮像完了から映像を伝送して表示する投影完了に至る時間として定義される映像伝送時間を測定する映像伝送時間測定システムおよび映像伝送時間測定方法に関する。
【背景技術】
【０００２】
近年、マルチメディアの発達により、多地点間において撮像と投影とを相互に行うテレイグジスタンスシステムのような動画の映像伝送システムが実用化されている。動画は、通常、非静止の対象物を単位時間毎に画像フレームまたは単にフレームと呼ばれる単位画像の時系列として撮像して形成され、フレーム単位毎に送受信されて投影により再生される。以下において、画像と映像とは同義で用い、投影はスクリーンを用いるものに限らず広い意味の画像提示を指すものとする。各フレーム毎の映像の撮像完了から投影完了に至るまでに、映像信号送出の処理に要する時間、映像信号が伝送路や空間を中継されながら移動する伝送に要する時間、および映像信号を受信して投影装置画面上に表示する処理に要する時間、などを合計した時間が経過する。このような撮像完了から投影完了までの時間は、ある時間空間（撮像地）における映像を伝送して、他のある時間空間（投影地）において映像を再生するための時間であり、この時間を「映像伝送時間」ということにする。
【０００３】
映像伝送時間は、原理的に正の非ゼロ値となり映像遅延時間とも呼ばれる。実時間伝送、いわゆるライブ中継を行うシステムにおいては、映像伝送時間を可能な限りゼロに近付けることが望まれる。また、同一映像を投影する場所が複数ある場合に、複数の投影場所に対する映像伝送時間を等しくする時間調整を要求されることがある。テレイグジスタンスのように実時間の映像をユーザインターフェースとする対話的システムにおいては、実景を撮影するビデオカメラからの映像を投影装置上で描画するまでの伝送時間の長短がシステムの使い勝手に影響する。映像時間を短縮したり、調整したりするには、映像伝送時間を測定して映像伝送システムの特性を把握することが必要である。また、映像伝送の媒体としてインターネットを経由する際のパケット伝送などについても対応する必要がある。
【０００４】
一般に、映像伝送時間の測定は、撮像地から、映像とともに映像の伝送開始時刻の情報を投影地に伝達し、投影地において、伝達された時刻と映像の投影完了時刻との差を求めることにより行われる。映像の伝送開始時刻と投影完了時刻とを求めるために、撮像地と投影地とに、それぞれ同一時刻を刻む時計が必要である。
【０００５】
ところで、パーソナルコンピュータ（以下、ＰＣと称する）を用いた双方向画像通信システムにおいて、特別な外部機器を追加することなく、ソフトウェアを組み込んだＰＣの自動処理によって、画像伝送の遅延時間を精度よくかつ簡単に測定する映像伝送時間測定方法が知られている。この方法では、時間経過を指示する自局ＰＣ上の時計画像を自局ＰＣに接続されたＴＶカメラを用いて撮影し、その時計画像の撮影画像を対局ＰＣに送信し、対局ＰＣから折り返し送信された画像を自局ＰＣで受信し、受信した画像の指示時刻と現在の時計画像の指示時刻とを比較することにより、自局ＰＣに入力された画像情報が対局ＰＣから出力されるまでの時間を測定する（例えば、特許文献１参照）。
【０００６】
また、ネットワーク伝送などのように測定対象画像の種類、つまり映像の情報量によって伝送時間が異なる場合に、種々の映像種別毎の伝送時間を自動測定するために、評価映像中に全面グレー画像などのように信号レベルが一定の基準映像を複数フレームにわたって挿入した測定用映像を用いる測定方法が知られている。この方法では、測定用映像を映像送信側端末に表示させると共に、映像送信を行い、伝送路を経由して時間遅延を伴って戻って来た測定用映像を受信用端末に表示させ、送信側端末と受信用端末の両画面を並べてビデオカメラで撮像し、両画面を撮像した画面全体の輝度変化などを自動測定して両画面間の表示遅れを検出することにより伝送時間を測定する（例えば、特許文献２参照）。
【特許文献１】特開２００６−１８０２９４号公報
【特許文献２】特開２００５−１８４７４９号公報
【発明の開示】
【発明が解決しようとする課題】
【０００７】
しかしながら、上述した特許文献１に示されるような従来の映像伝送時間の測定方法においては、撮像地において伝送用の映像を撮像する撮像用ビデオカメラのシャッタ開口時間の影響や投影地における映像描き替え時間の影響などを考慮した精度の高い映像伝送時間測定装置や測定方法については何ら記載されていない。また、自局から対局までの伝送時間は往復伝送時間を２分した平均的時間としてしか得られない。さらに、パケット伝送の場合には、通常、パケット損失に対処するために受信バッファを持つので、時間差を２分する際にバッファ長を考慮しなければ測定精度が低いものとなる。
【０００８】
また、上述した特許文献２に示されるような測定方法においては、送信用端末と受信用端末とが同じ場所にあることが必要であり、従って、互いに離れた撮像地と投影地との間における映像伝送時間を測定することができない。
【０００９】
一般に、映像伝送時間の測定において、測定精度をより高めるためには、被測定システムの違いにも対応する必要がある。また、単に測定精度を向上させるだけでなく、測定装置の使い勝手の向上、簡便性、汎用性、被測定システムに対する非侵襲性、測定時間の短縮、さらにはリアルタイムでの測定などが望まれる。
【００１０】
例えば、インターネットに代表されるパケット伝送ネットワーク上で動作する映像伝送システムにおいては、等時性を保っての同期信号伝送ができなくなり、投影装置側で独立して同期信号を生成するので、送受信両者のフレーム時間（画像フレームの送出間隔や投影間隔）が等しいことは望めない。また、同期信号を伝送できる場合であっても、撮影装置と投影装置とでテレビ方式が異なればフレーム時間も異なる。このような場合、伝送時間がフレーム毎に変化することになるので、高精度の伝送時間測定は、フレーム毎に行わなければならず、それなりの測定精度で測定を行う必要がある。
【００１１】
ところで、送受信両者のフレーム時間が等しい場合に、撮像地で撮像した時計像を投影地に伝送し、投影地で投影された時計像と投影地における時計とを同一画面に納まるように記録用カメラで撮像し、その像中の時計の読みから伝送時間を求めることができるが、その問題を説明する。この方法では、記録用カメラによる記録遅延（撮像タイミングの遅れ）を解消するために記録用カメラによる撮像を複数回行い、像中の２つの時計の読みから求めた時間差を複数求め、その最小値、つまり、伝送されて来た時計像の投影（投影像の描き替え）が終了した瞬間を捉えたときの値を伝送時間として求める。
【００１２】
しかしながら、投影装置がテレビ放送用のテレビ受像機の場合、例えば、ＮＴＳＣ方式では、フレーム時間における投影像の描き替え時間の割合が大きく、約９０％にもなるので、記録用カメラのシャッタの開口時間中に投影像の描き替えが行われている事態が発生して記録用カメラによる像中の時計の読取りが暖味になってしまう。また、記録用カメラによる撮像を複数回行うことが必要であり、測定に長時間を要するという問題がある。
【００１３】
本発明は、上記課題を解消するものであって、映像伝送システム（被測定システム）に対してソフトウエアを組み込んだり、電気的信号を加えたり取り出したりすることなく、被測定システムを実際に使用している状態で、簡単な構成により、その被測定システムの映像伝送時間を短時間で高精度に測定できる映像伝送時間測定システムおよび映像伝送時間測定方法を提供することを目的とする。
【課題を解決するための手段】
【００１４】
上記課題を達成するために、請求項１の発明は、撮像地に配置された撮像用ビデオカメラと、前記撮像用ビデオカメラによって撮像された映像を投影地に伝送する映像伝送手段と、投影地に配置され前記映像伝送手段によって伝送された映像を投影表示する映像投影装置とを備えた映像伝送システムにおける映像の撮像完了からその撮像した映像の信号を送出、伝送、および受信して映像を投影表示する投影完了までの時間を映像伝送時間として測定する映像伝送時間測定システムにおいて、撮像地に配置され明状態と暗状態とを繰り返す点滅マーカと、前記映像投影装置によって投影表示される前記点滅マーカの映像の明暗状態の変化を検出すると共に検出した旨の検出信号を出力する受光センサと、撮像地に配置され一定の単位時間経過とともに刻時して各時刻を一意的に表示する撮像地刻時タイマと、投影地に配置され前記撮像地刻時タイマに同期して刻時を開始し、一定の単位時間経過とともに刻時して各時刻を一意的に表示可能であり、前記受光センサからの前記検出信号を受信し、その受信の時に刻時時刻の表示を所定時間だけ固定するか、または、その受信時毎に刻時時刻の表示を更新すると共に固定する投影地刻時タイマと、投影地に配置されて前記映像投影装置によって投影表示された映像と前記投影地刻時タイマとを並べて撮像すると共に撮像した映像を記録する測定用カメラと、を備え、前記撮像用ビデオカメラによって前記撮像地刻時タイマと前記点滅マーカとを一緒に撮像し、その撮像された映像を前記映像伝送手段によって伝送した後、前記映像投影装置によって投影表示し、前記映像投影装置に投影表示された前記撮像地刻時タイマの映像と、前記受光センサからの出力に応じて刻時時刻の表示が固定された状態にある前記投影地刻時タイマとを同時に前記測定用カメラによって撮像し、前記測定用カメラによって撮像された映像から前記両刻時タイマの刻時時刻を読みとることにより前記映像伝送時間を決定するようにしたものである。
【００１５】
請求項２の発明は、請求項１に記載の映像伝送時間測定システムにおいて、前記撮像用ビデオカメラによって撮像された前記点滅マーカと前記撮像地刻時タイマの映像のうち、前記点滅マーカの方が、前記撮像地刻時タイマよりも時間的に後に、前記映像投影装置によって描画されるように投影表示されるものである。
【００１６】
請求項３の発明は、請求項１または請求項２に記載の映像伝送時間測定システムにおいて、前記点滅マーカの明状態と暗状態とを繰り返す時間間隔が、前記撮像用ビデオカメラによる撮像周期よりも長いものである。
【００１７】
請求項４の発明は、請求項１乃至請求項３のいずれか一項に記載の映像伝送時間測定システムにおいて、前記撮像地刻時タイマと前記投影地刻時タイマとは、それぞれ、一定の単位時間経過とともに順番に点灯して消灯する複数個の発光源を配列して構成されると共に、桁上がり時刻を表示する複数個の発光源を備えているものである。
【００１８】
請求項５の発明は、請求項１乃至請求項４のいずれか一項に記載の映像伝送時間測定システムにおいて、前記測定用カメラによって撮像された画像データを画像処理して前記撮像地刻時タイマおよび前記投影地刻時タイマの刻時時刻を読みとる画像処理手段を備えたものである。
【００１９】
請求項６の発明は、請求項１乃至請求項５のいずれか一項に記載の映像伝送時間測定システムにおいて、前記受光センサからの前記検出信号を受信することにより、前記映像投影装置に投影表示された前記撮像地刻時タイマの映像と、前記受光センサからの出力に応じて刻時時刻の表示が固定された状態にある前記投影地刻時タイマとを撮像するように前記測定用カメラを制御する測定用カメラ制御装置を備えたものである。
【００２０】
請求項７の発明は、請求項１乃至請求項６のいずれか一項に記載の映像伝送時間測定システムにおいて、前記点滅マーカを複数備えたものである。
【００２１】
請求項８の発明は、撮像地に配置された撮像用ビデオカメラと、前記撮像用ビデオカメラによって撮像された映像を投影地に伝送する映像伝送手段と、投影地に配置され前記映像伝送手段によって伝送された映像を投影表示する映像投影装置とを備えた映像伝送システムにおける映像の撮像完了からその撮像した映像の信号を送出、伝送、および受信して映像を投影表示する投影完了までの時間を映像伝送時間として測定する映像伝送時間測定方法において、撮像地に配置され一定の単位時間経過とともに刻時して各時刻を一意的に表示する撮像地刻時タイマと、同じく撮像地に配置され一定時間毎に明状態と暗状態とを繰り返す点滅マーカとを一緒に前記撮像用ビデオカメラによって撮像し、その撮像された映像を前記映像伝送手段によって伝送した後、前記映像投影装置によって投影表示する第１の工程と、前記第１の工程によって投影表示される前記点滅マーカの映像の明暗状態の変化を検出し、その明暗状態の変化が検出された時に、投影地に配置され前記撮像地刻時タイマに同期して刻時を開始し、一定の単位時間経過とともに刻時して各時刻を一意的に表示する投影地刻時タイマの刻時時刻の表示を所定時間だけ固定する第２の工程と、前記第１の工程によって投影表示された前記撮像地刻時タイマの映像と、前記第２の工程によって刻時時刻の表示が固定された状態にある投影地刻時タイマとを同時に測定用カメラによって撮像する第３の工程と、前記第３の工程によって得られた撮像地刻時タイマの映像および投影地刻時タイマの映像から両刻時タイマの刻時時刻を読みとり、その読みとり値に基づいて前記映像伝送システムの映像伝送時間を決定する第４の工程と、を備えるものである。
【００２２】
請求項９の発明は、請求項８に記載の映像伝送時間測定方法において、前記第２の工程において、前記投影地刻時タイマの刻時時刻の表示を固定する前記所定時間が次の明暗状態の変化を検出するまでの時間であり、変化の検出時毎に前記投影地刻時タイマの刻時時刻の表示を更新すると共に固定するものである。
【００２３】
請求項１０の発明は、請求項８または請求項９に記載の映像伝送時間測定方法において、前記第１の工程において、前記撮像用ビデオカメラによって撮像された前記点滅マーカと前記撮像地刻時タイマの映像のうち、前記点滅マーカの方が、前記撮像地刻時タイマよりも時間的に後に、前記映像投影装置によって描画されるように投影表示されるものである。
【００２４】
請求項１１の発明は、請求項８乃至請求項１０のいずれか一項に記載の映像伝送時間測定方法において、前記点滅マーカの明状態と暗状態とを繰り返す時間間隔が、前記撮像用ビデオカメラによる撮像周期よりも長いものである。
【００２５】
請求項１２の発明は、請求項８乃至請求項１１のいずれか一項に記載の映像伝送時間測定方法において、前記測定用カメラによる撮像間隔が前記映像投影装置による映像投影周期よりも短いものである。
【発明の効果】
【００２６】
請求項１の発明によれば、画像フレームの描き替え完了が点滅マーカの映像で擬似的に判断され、受光センサからの検出信号に応じて投影地刻時タイマの表示が固定された後、それぞれの表示が固定された状態にある撮像地刻時タイマの表示と投影地刻時タイマの表示とを測定用カメラによって撮像するので、測定用カメラのシャッタ開口時間や撮像タイミングなどに影響されることなく、映像伝送システムにおける映像の撮像完了からその撮像の投影完了までの時間を映像伝送時間として高精度に測定することができる。これは、受光センサによって点滅マーカの映像の明暗状態の変化を検出し、映像投影装置における前画像フレームに対する次画像フレームの上書きによる描き替え完了の検出を行うことにより、可能となっている。
【００２７】
また、画像フレームの描き替え完了を擬似的に点滅マーカの明暗状態の変化によって検出するので、実時間映像送出側の撮像用ビデオカメラのフレーム時間と受信側の映像投影装置のフレーム時間とが異なる場合であっても、映像伝送システムにおける注目フレームに関する伝送時間を測定することができる。すなわち、種々の測定対象システムに対して対応可能であり、汎用性のある測定ができる。また、測定用カメラによる最短の場合１回の撮像により映像伝送時間を測定できるので、短時間の測定が可能であり、リアルタイムで映像伝送時間を測定可能である。また、受光センサの出力によって測定用カメラを連動させることもでき、これにより、より確実かつ簡便に映像伝送時間を測定できる。さらに、映像を外部から読み取る受光センサを用いるので、被測定システム（映像伝送システム）に対してソフトウエアを組み込んだり、電気的信号を加えたり取り出したりすることなく、被測定システムを実際に使用している状態で、すなわち非侵襲的方法により、映像伝送時間を測定できる。
【００２８】
請求項２の発明によれば、前回の残像フレームではなく、更新された最新の画像フレームにおける撮像地刻時タイマの映像によって撮像完了時刻を読み取ることができるので、精度良い映像伝送時間測定ができる。例えば、映像投影装置の画面における左上から描画開始され、右下で描画終了する場合に、点滅マーカの像が右下隅に配置されるようにすればよい。なお、点滅マーカの映像の方が、撮像地刻時タイマの映像よりも先に、映像投影装置によって描画される設定の場合には、受光センサからの出力を遅延させたりすることによって、映像伝送時間測定システムにおける測定タイミングの設定を調整できるので、１フレーム前の撮像地刻時タイマの映像を扱うという事態を回避できる。
【００２９】
請求項３の発明によれば、点滅マーカの明暗状態の繰り返し時間間隔が、撮像用ビデオカメラによる撮像周期、すなわち画像フレーム時間よりも長いので、１フレームの中で多くとも１回しか明暗状態の変化がなく、映像投影装置における前画像フレームに対する次画像フレームの上書きによる描き替え完了の検出を有効に行うことができる。なお、１フレームの中で複数回の明暗状態変化が発生すると、いつまでも描き替え完了の検出をできない事態が発生する可能性がある。
【００３０】
請求項４の発明によれば、発光源が点灯する一定の単位時間、すなわち刻時の単位時間を短くすることにより、撮像用ビデオカメラのシャッタ開口時間よりも短い時間分解のもとで時間測定が可能であり、映像伝送時間の高精度な測定を実現できる。また、時刻の読み取りは、測定用カメラによって記録した映像に基づいて行うことができ、非侵襲的方法により、被測定システムにおける映像伝送時間を測定できる。また、各刻時タイマに、それぞれ桁上がり時刻を表示する複数個の発光源を備えるので、長時間にわたる時間測定が時刻のあいまいさなく可能となり、また、最少個数の光源によって精度良い刻時タイマを構成できる。例えば、撮像用ビデオカメラや測定用カメラにおける撮像周期を大きく超える時間について、桁上がり時刻表示を用いればよい。なお、両刻時タイマが刻時する単位時間は、通常、両刻時タイマに対して同じ時間長さとするが、必ずしも同じとする必要はない。例えば、一方の単位時間を他方の単位時間の２倍にしてもよい。
【００３１】
請求項５の発明によれば、両刻時タイマの刻時時刻を読みとる画像処理手段を備えるので、これにより、測定用カメラの出力映像を実時間画像処理して映像伝送時間の測定結果を容易かつ迅速に得られる。また、測定用カメラによって撮像記録された映像を、画像処理手段によって後処理することもでき、映像伝送時間の測定結果を容易に得られる。
【００３２】
請求項６の発明によれば、受光センサの出力に応じて測定用カメラを連動させるので、短時間で確実かつ簡便に映像伝送時間を測定できる。
【００３３】
請求項７の発明によれば、受光センサによる状態変化検出用とは別に画像記録用に点滅マーカを用いることができ、受光センサの受光部によって点滅マーカの映像が隠された場合であっても、他の点滅マーカの映像によって、その点滅マーカの状態を把握できる。また、複数の点滅マーカを画面上の映像位置が替わる用に配置することにより、映像伝送時間の画面位置に対する依存性を測定できる。
【００３４】
請求項８の発明によれば、画像フレームの描き替え完了が擬似的に点滅マーカの映像で判断され、受光センサからの検出信号に応じて投影地刻時タイマの表示が固定された後、それぞれの表示が固定された状態にある撮像地刻時タイマの表示と投影地刻時タイマの表示とを測定用カメラによって撮像するので、測定用カメラのシャッタ開口時間や撮像タイミングなどに影響されることなく、映像伝送システムにおける映像の撮像完了からその撮像の投影完了までの時間を映像伝送時間として高精度に測定することができる。また、映像を外部から読み取る受光センサを用いるので、被測定システムを実際に使用している状態で非侵襲的方法により、映像伝送時間を測定できる。また、本測定方法によると、単に測定精度を向上させるだけでなく、測定の容易化、簡便性と汎用性の向上、測定時間の短縮、さらにはリアルタイムでの測定などが可能となる。
【００３５】
請求項９の発明によれば、請求項８の発明と同様の効果が奏される。また、表示の変更と固定が点滅マーカの映像の明暗状態の変化の検出によって行われるので、一定時間だけ表示を固定する場合と異なり、点滅マーカの点滅時間の設定変更などに応じてその一定時間を設定し直す必要がない。
【００３６】
請求項１０の発明によれば、前回の残像フレームではなく、更新された最新の画像フレームにおける撮像地刻時タイマの映像によって撮像完了時刻を読み取ることができるので、精度良い映像伝送時間測定ができる。また、１フレーム前の撮像地刻時タイマの映像を扱うという事態を回避できる。
【００３７】
請求項１１の発明によれば、点滅マーカの明暗状態の繰り返し時間間隔が、撮像用ビデオカメラによる撮像周期、すなわち画像フレーム時間よりも長いので、１フレームの中で多くとも１回しか明暗状態の変化がなく、映像投影装置における前画像フレームに対する次画像フレームの上書きによる描き替え完了の検出を有効に行うことができる。
【００３８】
請求項１２の発明によれば、測定用に記録すべき映像を飛ばすことなく、より確実に記録できるようになるので、記録データ整理時の煩雑さを避けることができる。
【発明を実施するための最良の形態】
【００３９】
以下、本発明の実施形態に係る映像伝送時間測定システムおよび映像伝送時間測定方法について、図面を参照して説明する。図１は映像伝送時間測定システムのブロック構成を示し、図２は同システムの模式的構成を示し、図３は映像伝送時間測定方法における測定フローを示す。
【００４０】
映像伝送時間測定システム１は、図１、図２に示すように、既存の映像伝送システム１０（以下、被測定システム１０とも称する）に対して電気的信号を加えたり取り出したりすることなく、その被測定システム１０の映像伝送時間を測定する。ここで、映像伝送時間は、映像伝送システム１０における映像の撮像完了からその撮像した映像の信号を送出、伝送、および受信して映像を投影表示する投影完了までの時間として定義される時間であり、一般に映像伝送時間と呼ばれる時間である。従って、映像伝送時間には、実際の伝送時間の他に、送信側の送信バッファや受信側の受信バッファにおける遅延も含まれる。なお、投影完了（画像フレームの描き替え完了）の検出は、一般にはできないので、映像伝達時間測定システム１では、この完了を検出する替わりに投影画面における特定位置の明暗状態（後述の点滅マーカ像）の変化を検出する。
【００４１】
この測定対象である被測定システム１０は、撮像地Ａに配置された撮像用ビデオカメラ１１と、撮像用ビデオカメラ１１によって撮像された映像を伝送する映像伝送手段であるネットワーク１２と、投影地Ｂに配置されネットワーク１２によって伝送された映像を投影表示する投影装置１３とを備えている。
【００４２】
映像伝送時間測定システム１は、撮像地Ａに配置され明状態と暗状態とを繰り返す点滅マーカ３と、投影地Ｂに配置され映像投影装置１３によって投影表示される点滅マーカ３の映像の明暗状態の変化を検出すると共に検出した旨の検出信号を出力する受光センサ４と、撮像地Ａに配置され一定の単位時間経過とともに刻時して各時刻を一意的に表示する撮像地刻時タイマ２と、投影地Ｂに配置され撮像地刻時タイマ２に同期して刻時を開始し、一定の単位時間経過とともに刻時して各時刻を一意的に表示可能であり、受光センサ４からの検出信号を受信し、その受信の時に刻時時刻の表示を所定時間だけ固定する投影地刻時タイマ５と、投影地Ｂに配置されて映像投影装置１３によって投影表示された映像と投影地刻時タイマ５とを並べて撮像すると共に撮像した映像を記録する測定用カメラ６とを備えている。
【００４３】
また、映像伝送時間測定システム１は、さらに、測定用カメラ６によって撮像された測定用映像を表示する測定用表示装置７と、測定用映像を画像処理して映像中の両刻時タイマ２，５の時刻を自動的に読みとる画像処理手段である画像処理装置８と、を備えることができる。
【００４４】
図１において、白抜きの矢印は時刻情報が光を介してやり取りされる様子を示し、映像伝送時間測定システム１と被測定システム１０とは、光以外について互いに非侵襲の関係にあることを示す。また、図２において、投影装置１３には、撮像地刻時タイマ２の映像２ａと、点滅マーカ３の映像３ａとが表示されている。また、測定用表示装置７には、投影地刻時タイマ５の映像５ａと、投影装置１３の映像１３ａ、さらに、その映像１３ａの中に表示された撮像地刻時タイマ２の映像２ａと、点滅マーカ３の映像３ａと、受光センサ４の映像４ａと、が表示されている。
【００４５】
映像伝送時間測定システム１は、上述の構成のもとで、擬似的に画像フレームの描き替え完了と見做すことのできる受光センサ４からの検出信号によって投影地刻時タイマ５の表示が固定された後、それぞれ表示が固定された状態にある撮像地刻時タイマ２の表示（映像２ａ）と投影地刻時タイマ５の表示とを測定用カメラ６によって撮像することにより、測定用カメラ６のシャッタ開口時間や撮像タイミングなどに影響されることなく、映像伝送システム１０における映像伝送時間を高精度に測定できる。詳細は後述する（図５乃至図７参照）。
【００４６】
受光センサ４は、上述したように、映像投影装置１３によって投影表示される点滅マーカ３の映像３ａの明暗状態の変化を検出すると共に検出した旨の検出信号を出力する。このような検出信号を出力するために、受光センサ４は、例えば、映像３ａの明暗情報を取得し、その情報を電気信号として出力する光電変換機能を有する受光部と、光電変換された電気信号の変化から映像３ａの明暗状態の変化を検出してその検出信号を出力する比較部とを備えて構成される。受光部は、例えば、フォトトランジスタを用いることができる。比較部は、例えば、予め条件設定したアナログ電圧の設定スレショルドと受光部からの電圧信号とを比較するコンパレータによって構成することができる。この場合、映像３ａの明暗変化があればコンパレータ出力の論理レベルが変わるので、そのエッジ（立上り、または立下り）を検出信号として用いることができる。投影地刻時タイマ５は、そのエッジ（検出信号）によって刻時のデジタル値をラッチすることにより、刻時時刻の表示を所定時間だけ固定することができる。なお、受光センサ４の構成は、このような構成に限らず、映像３ａの明暗状態の変化を検出して検出信号を出力できるものであればよい。
【００４７】
被測定システム１０の撮像用ビデオカメラ１１は、固有のシャッタ開閉時間のもとで映像を取得し、その映像信号を出力する処理を、固有の撮像周期で行う。また、ネットワーク１２は、撮像用ビデオカメラ１１における映像信号出力回路や、同軸ケーブルその他の伝送線路や、投影装置１３における映像信号受信回路や投影出力用回路などを含んで構成される。また、投影装置１３は、通常の映像表示装置、例えば、ＣＲＴや液晶表示装置、ビデオプロジェクタなどであって、投影表示された映像を測定用カメラ６によって撮像できるものであればよい。
【００４８】
映像伝送時間測定システム１の測定用カメラ６は、スチルカメラでもビデオカメラでも用いることができる。測定用表示装置７は、測定用カメラ６によって撮像された測定用映像を表示できるものであればよい。例えば、測定用表示装置７として、コンピュータとそのモニタ装置を用いることができる。
【００４９】
上述の場合、前記画像処理装置８は、コンピュータに内蔵した画像処理ソフトウエアを用いて構成できる。画像処理装置８によると、両刻時タイマ２，５の刻時時刻を自動的に読みとることにより、測定用カメラ６の出力映像を実時間画像処理して映像伝送時間の測定結果が容易かつ迅速に得られる。また、測定用カメラ６によって撮像記録された映像を、画像処理装置８によって後処理することもでき、映像伝送時間の測定結果を容易に得られる。例えば、後述するような発光源の配列により時刻表示する刻時タイマの場合、点灯状態にある発光源の映像を画像処理により検出することは容易に行うことができ、画像中の点灯状態の発光源の配置から、自動的に時刻を読み取ることができる。なお、刻時タイマ２，５については後述する（図４参照）。
【００５０】
（映像伝送時間測定フロー）
次に、測定方法の概要を説明する。映像伝送システム１０の映像伝送時間は、上述の映像伝送時間測定システム１、および被測定システム１０の装置を用いて、図３に示す４つの工程によって測定される。
【００５１】
まず第１の工程では（＃１）、撮像地Ａに配置され一定の単位時間経過とともに刻時して各時刻を一意的に表示する撮像地刻時タイマ２と、同じく撮像地Ａに配置され一定時間毎に明状態と暗状態とを繰り返す点滅マーカ３とを一緒に撮像用ビデオカメラ１１によって撮像し、その撮像された映像をネットワーク１２によって伝送した後、映像投影装置１３によって投影表示する。
【００５２】
次の第２の工程では（＃２）、第１の工程によって投影表示される点滅マーカ３の映像３ａの明暗状態の変化を検出し、その明暗状態の変化が検出された時に、投影地Ｂに配置され撮像地刻時タイマ２に同期して刻時を開始し、一定の単位時間経過とともに刻時して各時刻を一意的に表示する投影地刻時タイマ５の刻時時刻の表示を所定時間だけ固定する。これにより、投影地刻時タイマ５による刻時が見かけ上停止する。
【００５３】
次の第３の工程では（＃３）、第１の工程によって投影表示された撮像地刻時タイマ２の映像２ａと、第２の工程によって刻時時刻の表示が固定された状態にある投影地刻時タイマ５とを同時に測定用カメラ６によって撮像する。
【００５４】
次に、第４の工程において（＃４）、第３の工程によって得られた撮像地刻時タイマ２の映像２ａおよび投影地刻時タイマ５の映像５ａから両刻時タイマ２，５の刻時時刻を読みとり、その読みとり値に基づいて映像伝送システム１０の映像伝送時間を決定できる。
【００５５】
上述の第１乃至第４の各工程は、ステップ＃５によって測定終了が判断されるまで繰り返される。被測定システム１０は、通常の使用状態のもとで、撮像地刻時タイマ２の映像を伝送し続け、測定用カメラ６は、両刻時タイマ２，５の映像を撮像して記録し続ける。測定用カメラ６によって測定用映像として撮像された両刻時タイマ２，５の映像２ａ，５ａには、それぞれの撮像周期のもとで、撮像用ビデオカメラ１１と測定用カメラ６とによって撮像された時刻が記録されている。
【００５６】
上述の工程によると、例えば、被測定システム１０における映像伝送時間が、そのシステムの特性によってその運用中に変動する場合には、測定を繰り返してその変動を把握することができる。また、映像伝送時間が安定して変動しない被測定システム１０の場合は、比較的少ない回数の繰り返し測定によって、映像伝送時間を精度良く決定できる。
【００５７】
（刻時タイマ）
次に、図４を参照して、刻時タイマ２，５について説明する。撮像地刻時タイマ２、および投影地刻時タイマ５は、時刻を一意的に表示するように一定の単位時間（ΔＴで表す）経過とともに順番に点灯して消灯する複数個の発光源Ｌを配列して構成される。また、投影地Ｂに配置される刻時タイマ５は、継続される刻時とは独立に時刻表示を固定したり、現在時刻の表示に復帰する機能を備える。
【００５８】
なお、発光源Ｌの配置は、各々の発光源Ｌが示す時刻を特定して識別できるような配置であればよい。また、刻時タイマの時刻表示器として、７セグメント数字表示などを援用することもできる。
【００５９】
図４に示すタイマの例では、発光源Ｌは、十進数を構成するため横方向ｊに１０個一組とし、縦方向ｉに時間測定に必要な個数を備えて、格子状に２次元配列して、下位桁表示部と上位桁表示部とを構成している。下位桁表示部は、横方向にｊ＝０〜９、縦方向にｉ＝０〜９の１００個の発光源を等間隔に格子状に配列して成り、表示時間ｔは、ｔ＝０〜９９ΔＴである。上位桁表示部は、１０個の発光源を配列したＡ列、Ｂ列、Ｃ列から成り、それぞれ１００ΔＴ、１，０００ΔＴ、１０，０００ΔＴの位を表示する。従って、図４に示す刻時タイマは、ｔ＝０〜９９，９９９ΔＴの時刻を表示することができる。図４の例では、図中黒丸が点灯状態を示し、時刻６２，７４９ΔＴが表示されている。
【００６０】
発光源Ｌとして、発光ダイオードを用いると、点滅切替速度が発熱ランプなどと比べて高速であり、高精度時間計測に好適である。各発光源Ｌは、１つの発光源Ｌの消灯と他の１つの発光源Ｌの点灯とを同時に行うように動作される。つまり、位取りは別として単位時間ΔＴの間、１個の発光源が点灯していることになる。
【００６１】
また、撮像地刻時タイマ２は、撮像地Ａに配置され、投影地刻時タイマ５は、投影地Ｂに配置され、これらは互いに同期して刻時するように調整される。これらの刻時タイマ２，５は、時刻を一意的に表示するように刻時を開始し、一定の単位時間ΔＴの経過とともに順番に点灯して消灯する。そこで、撮像用ビデオカメラ１１と測定用カメラ６とによって撮像された映像から、それぞれの刻時時刻を一意的に読みとることができる。
【００６２】
ただし、撮像用ビデオカメラ１１による映像については、シャッタの開口時間を考慮する必要がある。つまり、単位時間ΔＴを短くした場合に、シャッタの開口時間中に刻時が変化して、多数の発光源Ｌが連続して点灯した状態の映像が撮像される。
【００６３】
逆に、このような映像からシャッタ開口時刻を知ることができる。なお、撮像された映像中において、１００個の発光源Ｌの内の少なくとも１個が消灯状態でなければシャッタ開口時刻と閉口時刻を分離できないので、知ることのできるシャッタ開口時間の最長は９９ΔＴである。しかし、その発光源Ｌの直前や直後の点灯中にシャッタの開閉がある可能性があるので、確実に知ることのできるシャッタ開口時間の最長は９７ΔＴである。
【００６４】
上述のように、一定の単位時間経過とともに順番に点灯して消灯する複数個の発光源Ｌを配列して構成されると共に、桁上がり時刻を表示する複数個の発光源Ｌを備えている撮像地刻時タイマ２と投影地刻時タイマ５とによれば、発光源が点灯する一定の単位時間、すなわち刻時の単位時間を短くすることにより、撮像用ビデオカメラ１１のシャッタ開口時間よりも短い時間分解能のもとで時間測定が可能であり、映像伝送時間の高精度な測定を実現できる。
【００６５】
また、時刻の読みとりは、測定用カメラ６によって記録した映像に基づいて行うことができ、非侵襲的方法により、被測定システム１０における映像伝送時間を測定できる。なお、両刻時タイマ２，５が刻時する単位時間ΔＴは、通常、両刻時タイマに対して同じ時間長さとするが、必ずしも同じとする必要はない。例えば、一方の単位時間を他方の単位時間の２倍にしてもよい。また、両刻時タイマを同期動作をさせるには、刻時開始時に両刻時タイマを回路的に接続して同期させ、刻時を始めたら分離して、それぞれ撮像地Ａと投影地Ｂに移設すればよい。
【００６６】
また、各刻時タイマに、それぞれ桁上がり時刻を表示する複数個の発光源を備えるので、長時間にわたる時間測定が時刻のあいまいさなく可能となり、また、最少個数の光源によって精度良い刻時タイマ２，５を構成できる。例えば、撮像用ビデオカメラ１１や測定用カメラ６における撮像周期を大きく超える時間について桁上がりによる時刻表示を併用すればよい。
【００６７】
（映像伝送時間の測定原理）
次に、上述の図１乃至図４に加え、図５、図６を参照して、映像伝送時間測定システム１による映像伝送時間の測定原理とその詳細を時間軸に沿って説明する。図５、図６は同システムおよび測定方法における映像伝送時間測定の原理を時間軸に沿って示している。
【００６８】
なお、以下では、各機器の動作の相互関係を各機器に関する信号に関連づけて説明するため、撮像用ビデオカメラ１１をＣＭ１、測定用カメラ６をＣＭ２、投影装置１３をＤＳＰ、撮像地刻時タイマ２をＴ１、点滅マーカ３をＭＫ、投影地刻時タイマ５をＴ２、受光センサ４をＳＥＮによって表す。すなわち、これらの符号は、時間変化する信号に注目してつけられた符号である。
【００６９】
図５において、横軸は両刻時タイマＴ１，Ｔ２に共通に経過する時間ｔを示し、縦軸は各刻時タイマＴ１，Ｔ２の表示値を示す。ところで、前述の図３に示した第１の工程（＃１）中の撮像（＃１１）は、撮像地刻時タイマＴ１の表示を映像として固定することに対応する。そこで、撮像完了（＃１１）によって、時刻τ１が映像中に固定され、その映像が伝送され（＃１２）、その後、投影開始されて投影装置ＤＳＰの表示画面上に新たな画面として描き替えられて投影表示される（＃１３）。
【００７０】
上述の投影装置ＤＳＰにおける画面において、描き替えの前後に点滅マーカＭＫの映像３ａの明暗の変化があった場合に、図５に示すように、受光センサＳＥＮからの信号によって、撮像地刻時タイマＴ１の表示がその時の時刻τ２に固定される（＃２）。
【００７１】
上述の測定用カメラＣＭ２によって撮像された画像フレームが、時刻τ１，τ２を読み取るための画像かどうかは、その画像フレームと直前の画像フレームとにおける点滅マーカＭＫの映像３ａの状態変化を見て判断できる。
【００７２】
上述の固定された時刻τ１，τ２が、測定用カメラＣＭ２によって撮像され（＃３）、その時刻τ１，τ２を読み取ることにより、映像伝送時間（以下ｔｄと表す）が、ｔｄ＝τ１−τ２、として求められる。
【００７３】
図６には、撮像地Ａにおける撮像用ビデオカメラＣＭ１の撮像周期Ｔａと、投影地Ｂにおける投影装置ＤＳＰの投影周期Ｔｂと、測定用カメラＣＭ２による記録周期Ｔｃとの３つの周期に注目して、各機器における状態変化が、時間的により詳細に示されている。これらの周期Ｔａ，Ｔｂ，Ｔｃは、動画像を撮像したり投影表示したりする場合の、各画像当たりの表示時間、いわゆるフレーム時間であり、単位時間当たりの画像数（フレーム数）の逆数である。
【００７４】
上述の各周期は、一般に、互いに異なる場合が想定される。その周期の異同は、映像伝送時間ｔｄを多数回測定した場合の測定値に反映され、その異同に応じた特有の周期的変動が測定される。このことについては、後述する（図９乃至図１２参照）。
【００７５】
図６には、点滅マーカＭＫの状態が、暗状態ｍｋ１から、明状態ｍｋ２に変化する前後において撮像用ビデオカメラＣＭ１によって撮像される様子が示されている。明状態ｍｋ２において最初の画像フレームが撮像された時刻が、時刻τ１である。より厳密に定義すると、撮像完了時刻、すなわち撮像用ビデオカメラＣＭ１のシャッタが閉じた時刻、すなわち閉口時刻が時刻τ１である。
【００７６】
映像投影装置ＤＳＰにおける投影周期Ｔｂの始めの区間ｔａでは、画面の描き替えが行われている。図６の例では、区間ｔａにおいて、撮像地刻時タイマＴ１の映像２ａが描かれた後に、点滅マーカＭＫの映像３ａが描かれ、その後、描き替えが終了し、１つの画像フレーム時間が終了している。
【００７７】
そこで、点滅マーカＭＫの映像３ａの明暗変化を検出することにより、周期的に切り替わる画像フレームの切り替わりを擬似的に検出することが可能であることが分かる。この場合、明暗変化の検出時刻は、点滅マーカＭＫの映像３ａが画面のどこにあるかによって左右される。映像３ａの明暗変化が受光センサＳＥＮによって検出されると、上述したように、その検出信号によって投影地刻時タイマＴ２の表示を時刻τ２の表示に固定し（＃２）、測定用カメラＣＭ２によって時刻τ１，τ２の表示を記録して（＃３）、時刻τ１，τ２を読み取ることにより（＃４）、映像伝送時間ｔｄを決定できる。映像３ａの描画完了時が、時刻τ２とされている。この時刻τ２は、受光センサＳＥＮまたは投影地刻時タイマＴ２の回路調整によって、所定時間遅延させるような設定が可能である。
【００７８】
上述のことから、映像伝送時間測定システム１において、撮像用ビデオカメラＣＭ１によって撮像される点滅マーカＭＫと撮像地刻時タイマＴ１の映像のうち、点滅マーカＭＫの映像３ａの方が、撮像地刻時タイマＴ１の映像２ａよりも時間的に後に、映像投影装置ＤＳＰによって描画されるように投影表示される構成が、より好適と言える。
【００７９】
上述の構成によれば、更新された最新の画像フレームにおける撮像地刻時タイマＴ１の映像２ａによって撮像完了時刻τ１を読み取ることができるので、精度良く映像伝送時間ｔｄを測定できる。例えば、映像投影装置ＤＳＰの画面における左上から描画開始され、右下で描画終了する場合に、点滅マーカＭＫの像が画面の右下方向に配置されるようにすればよい。
【００８０】
ところで、点滅マーカＭＫの映像３ａの方が、撮像地刻時タイマＴ１の映像２ａよりも先に、映像投影装置ＤＳＰによって描画される設定の場合には、映像２ａの描画が終わるまで受光センサＳＥＮからの出力を遅延させたりすることによって、映像伝送時間測定システム１における測定タイミングの設定を調整できる。この場合、１フレーム前の撮像地刻時タイマの映像を扱うという事態を回避できる。
【００８１】
また、映像伝送時間測定システム１において、点滅マーカＭＫの明状態ｍｋ２と暗状態ｍｋ１とを繰り返す時間間隔（以下、点滅周期Ｔｋとする）を、撮像用ビデオカメラＣＭ１の撮像周期Ｔａよりも長くする、すなわち、Ｔａ＜Ｔｋとする方が好適である。
【００８２】
これは、点滅マーカＭＫの明暗状態の繰り返しの点滅周期Ｔｋが、撮像用ビデオカメラＣＭ１による撮像周期Ｔａ、すなわち画像フレーム時間よりも長いので、１フレームの中で多くとも１回の明暗状態変化とすることができ、映像投影装置ＤＳＰにおける前画像フレームに対する次画像フレームの上書きによる点滅マーカＭＫの映像３ａの描き替え完了の検出を正しく行うことができるからである。なお、１フレームの中で複数回の明暗状態変化が発生すると、ストロボ効果により、いつまでも描き替え完了の検出をできないような事態が発生する可能性がある。
【００８３】
また、映像伝送時間測定システム１において、受光センサＳＥＮからの検出信号を受信することにより、映像投影装置ＤＳＰに投影表示された撮像地刻時タイマＴ１の映像２ａと、受光センサＳＥＮからの出力によって刻時時刻の表示が固定された状態にある投影地刻時タイマＴ２とを撮像するように測定用カメラＣＭ２を制御する測定用カメラ制御装置（不図示）を備えることができる。
【００８４】
上述の測定用カメラ制御装置を備えることにより、映像伝送時間測定システム１は、受光センサＳＥＮの出力によって測定用カメラＣＭ２を連動させることができ、短時間で確実かつ簡便に映像伝送時間ｔｄを測定できる。また、この連動した撮像に際して、その撮像画像を識別するデータをその画像に付加することもできる。これによれば、後に行うデータ処理に有用である。
【００８５】
上述のように、時刻読み取り用の画像が時刻表示を停止した状態で記録されるので、映像伝送時間測定システム１は、測定用カメラＣＭ２による記録タイミングの遅れや、シャッタ開口時間中の時間経過に影響されることなく、映像伝送システム１０における映像伝送時間ｔｄを高精度に測定できる。また、画像フレームの描き替え完了と見做せる状態、または、その完了直前の状態を検出できるので、実時間映像送出側の撮像用ビデオカメラＣＭ１のフレーム時間と受信側の映像投影装置ＤＳＰのフレーム時間とが異なる場合であっても、映像伝送システム１０における注目フレームに関する伝送時間を測定することができる。
【００８６】
映像伝送時間測定システム１は、上述のように、種々の被測定システム１０に対して対応可能であり、汎用性のある測定ができる。また、測定用カメラＣＭ２による１回の撮像により映像伝送時間ｔｄを測定できるので、短時間の測定が可能であり、リアルタイムで映像伝送時間ｔｄを測定可能である。また、受光センサＳＥＮの出力によって測定用カメラＣＭ２を連動させることにより、より確実かつ簡便に映像伝送時間を測定できる。また、映像を外部から読み取る受光センサＳＥＮを用いるので、被測定システム（映像伝送システム）１０に対してソフトウエアを組み込んだり、電気的信号を加えたり取り出したりすることなく、被測定システムを実際に使用している状態で、すなわち非侵襲的方法により、映像伝送時間ｔｄを測定できる。
【００８７】
（投影地刻時タイマの表示固定）
次に、図７（ａ）（ｂ）を参照して、投影地刻時タイマＴ２における表示固定の方法を説明する。図７（ａ）は、時間ｔの経過とともに刻時時刻の表示を所定時間ｄだけ一時的に固定する様子を示す。この場合、表示の固定は、図中に示した時刻ｔ１，ｔ２，ｔ３のように、受光センサ４からの検出信号を受信した時に行われる。
【００８８】
また、図７（ｂ）は、刻時時刻の表示が階段状に更新され、表示が更新されるまではその表示が固定される様子を示す。この場合、図中に示した時刻ｔ１，ｔ２，ｔ３のように、受光センサ４からの検出信号を受信した時に、刻時時刻の表示が更新される。
【００８９】
映像伝送時間測定システム１においては、上述のいずれの表示固定方式の投影地刻時タイマＴ２でも用いることができる。
【００９０】
（映像伝送時間の連続測定の概要）
次に、図８の測定フローを参照して、映像伝送時間の連続測定における測定用映像の連続記録について説明する。以下では、測定用カメラ６としてビデオカメラを用いるものとし、その撮像周期のもとで撮像して映像を記録する。従って、測定用カメラ６による記録周期Ｔｃは、測定用ビデオカメラの撮像周期となる。なお、図８の測定フローには特徴的な面のみが時系列的に記載されているが、実際は、複数の処理が同時並行的に行われる。
【００９１】
すなわち、図８の測定フローにおいて、ステップＳ１〜Ｓ４，Ｓ８は、それぞれ独自の動作周期または同じ動作周期のもとで直列的にまたは同時並行的に行われ、測定が終了（Ｓ９でＮｏ）するまで、繰り返される。ステップＳ５は、測定中に常時実行され、ステップＳ７は、点滅マーカ３の状態変化が検出されたときのみ（Ｓ６でＹｅｓ）実行される。
【００９２】
さらに述べると、点滅マーカ３は独自の点滅周期Ｔｋで明暗変化を継続し（Ｓ１）、撮像用ビデオカメラ１１は独自の撮像周期Ｔａで撮像地刻時タイマ２と点滅マーカ３の撮像を継続し（Ｓ２）、撮像された映像は画像フレーム単位で映像伝送され（Ｓ３）、映像投影装置１３は、やはり独自の投影周期Ｔｂで画像フレームの描き替えを継続して行う（Ｓ４）。
【００９３】
受光センサ４によって映像３ａの明暗状態の変化が検出されると（Ｓ６でＹｅｓ）、投影地刻時タイマ５は、例えば前述の図７（ａ）のように、その時刻の表示を一時的にまたは次の更新時まで固定する（Ｓ７）。
【００９４】
上述の測定フローの終了後に、測定用カメラ６によって記録された多数の画像フレームにおける撮像地刻時タイマ２の映像２ａと刻時表示の固定された投影地刻時タイマ５の映像５ａとから時刻を読み取って、種々の状態における映像伝送時間ｔｄを時系列的に求めることができる。この読み取りを、前述の画像処理装置８によって行うようにすれば、後処理ではなく、記録中の実時間に刻々変化する映像伝送時間ｔｄを求めることができる。
【００９５】
（被測定システムの特性の考慮）
ここで、映像をパケット伝送する場合について説明する。撮像地刻時タイマ２と点滅マーカ３の映像は、被測定システム１０の撮像用ビデオカメラ１１によって、画像フレーム毎に撮像されて伝送される。各画像フレームは、一般に複数のパケットに分割されて伝送され、受信側において受信された複数のパケットから画像フレームが再構成される。映像投影装置１３の画面上には主として画像フレーム単位で投影される。
【００９６】
被測定システム１０の撮像用ビデオカメラ１１は、シャッタを閉じた後、映像データに何らかの処理を加えてデータを送出する。送出側での処理時間はすべて送信バッファにおける遅延とされる。この遅延は多くのシステムでは一定であるが、伝送路がＬＡＮの場合には、ジッタを持つことがある。また、映像投影装置１３は、受信バッファを備え、伝送における遅延時間のジッタを吸収したり、パケット損失に対処したりしてデータを再構成する。映像投影装置１３における画面への描画は、このバッファのデータに何らかの処理をして行われる。そこで、映像データ受信から描画までの処理時間はすべて受信バッファにおける遅延として映像伝送時間に含めるものとする。
【００９７】
なお、伝送や映像投影がインターレース方式の場合は、画像フィールドを対象として時間関係を定義するものとする。インターレース方式では、偶数フィールドの描画時にマーカ像の状態変化を検出できずに奇数フィールドのそれまで遅れると、撮像周期の半分だけ遅延時間が大きくなった値が得られることになる。従って、測定条件を一定とするために受光センサの感度と開口面に注意が必要がある。
【００９８】
一般にパケット伝送を利用する映像伝送システムでは、パケットの伝送時間のジッタや、送信側と受信側（投影側）におけるフレーム時間の差、すなわち１秒間に表示する複数の画像フレームの各フレームに割り当てられる時間の差を、受信バッファによって吸収するようにされている。映像伝送システム１０において送受信間にフレーム時間の差がある場合には、画像フレームを飛ばすコマ落ちや、同一画像フレームを続ける二重投影などが行われる。また、伝送中にパケット損失が発生すると、同一の画像フレームを続けて投影するか（フレーム単位での描き替え一時停止、画面はフリーズ状態になる）、または、該当するパケットのペイロードになっていたブロック部分のみを続けて投影する（フレーム中の該当部分のブロックのみ描き替え停止、画面の一部がモザイク状になる）。
【００９９】
同期信号を伝送しないシステムや、伝送路あるいは受信バッファでフレーム変換を行うシステムでは、撮像用ビデオカメラと提示装置のそれぞれのフレーム周期が独立となるので、知りたい映像伝送時間は連続するフレーム毎に異なることになる。そこで、測定用カメラ６として、ビデオカメラを用いると共に、点滅マーカ３の点滅周期や、各機器の動作周期を考慮して連続的に記録と測定を行う必要がある。
【０１００】
また、特性の異なる被測定システムの相互の比較を行う場合などには、被測定システムの違いによる映像伝送時間の差異を考察できるように、例えば、点滅マーカ３の映像３ａが映像投影装置１３の画面中央となるようにするなどのように条件を共通化する配慮が必要である。
【０１０１】
（映像伝送時間の連続測定）
次に、映像伝送時間ｔｄを多数回測定した場合の測定値について説明する。映像伝送時間ｔｄを連続して測定する場合、その測定結果は、各機器における動作周期、すなわち、撮像用ビデオカメラＣＭ１の撮像周期Ｔａ、投影装置ＤＳＰの投影周期Ｔｂ、測定用カメラＣＭ２による記録周期Ｔｃ、または、点滅マーカＭｋの点滅周期Ｔｋなどの、相互の長短などの異同による影響が反映された特有の周期的変動を有するものとなる。
【０１０２】
以下では、映像伝送時間ｔｄを測定する対象である映像伝送システム１０をモデル化して扱うこととし、時刻や時間の変数を、両刻時タイマＴ１，Ｔ２が刻時する単位時間ΔＴが互いに等しいとしたときの単位時間ΔＴによって正規化し量子化しておく。なお、正規化とは、正規形（比較・演算などの操作のために望ましい性質を持った一定の形のこと）でないものを正規形に変形することをいい、量子化とは、情報理論において、アナログデータ（連続量）をデジタルデータなどの離散的な値で近似的に表すことをいう（物理学における量子化とは異なる）。
【０１０３】
具体的には、各時間変数を単位時間ΔＴによって割り算すると共に、四捨五入して整数化し（量子化）、同じ変数名で呼ぶことにする。なお、下記の関数ｆ［＊］は、変数＊の四捨五入演算（丸め演算）結果を返す関数である。また、以下では、測定用カメラＣＭ２は、ビデオカメラを用いるものとする。従って、測定用カメラＣＭ２の記録周期Ｔｃは、そのフレーム時間となる。
Ｍａ＝ｆ［Ｔａ／ΔＴ］：撮像用ビデオカメラＣＭ１の撮像周期（フレーム時間）、
Ｍｂ＝ｆ［Ｔｂ／ΔＴ］：映像投影装置ＤＳＰの投影周期（フレーム時間）、
Ｍｃ＝ｆ［Ｔｃ／ΔＴ］：測定用カメラＣＭ２による記録周期（フレーム時間）、
Ｍｋ＝ｆ［Ｔｋ／ΔＴ］：点滅マーカＭＫの点滅周期、
Ｘｄ＝ｆ［ｔｄ／ΔＴ］：映像伝送時間、
χ＝ｆ［ｔ／ΔＴ］：時間（正規化時間）。
【０１０４】
前述したように、映像伝送時間ｔｄを連続して測定する場合、その測定結果は、各機器における動作周期の相互の長短などの異同による影響が反映された特有の挙動を示す。そこで、以下のような場合分けに基づいて説明する。なお、撮像用ビデオカメラＣＭ１が、撮像したフレームを規則的に間引いて送出している場合は、撮像周期Ｍａは、送出間隔に置き換えるものとする。
（１）Ｍａ＝Ｍｂ＞Ｍｃ、
（２）Ｍａ＝Ｍｂ＞Ｍｃ、パケット損失あり、
（３）Ｍａ＝Ｍｂ＜Ｍｃ、
（４）Ｍａ＝Ｍｂ＝Ｍｃ、
（５）Ｍａ＜Ｍｂ、
（６）Ｍａ＞Ｍｂ。
【０１０５】
（Ｍａ＝Ｍｂ＞Ｍｃの場合）
撮像周期Ｍａと投影周期Ｍｂとが等しい場合、映像伝送時間Ｘｄは、点滅マーカＭＫの状態が変化した後の映像のフレームから時刻（図６におけるτ１，τ２）を読み取って得られ、このような映像伝送時間Ｘｄの測定値は、測定を複数回行っても量子化誤差の範囲内で一定となる。
【０１０６】
（Ｍａ＝Ｍｂ＞Ｍｃ、パケット損失がある場合）
また、ネットワーク１２が、パケット通信によって伝送するものの場合、伝送時になんらかの原因でパケット損失が発生すると、映像投影装置ＤＳＰにおいてフレームが更新されない状態が発生しうる。この場合、上記同様に、測定用カメラＣＭ２の映像を読み取ることにより同様に映像伝送時間Ｘｄを求めることができる。
【０１０７】
上述の状況をさらに説明する。注目している画像フレーム、すなわち、点滅マーカＭＫの点滅状態が変化した後の、最初（１番目）の画像フレームがパケット損失によって投影されなかった場合、投影装置ＤＳＰの画面には、画面の更新が行われなかった結果、点滅マーカＭＫの点滅状態がまだ変化していない状態の画面のままである。そして、損失したフレームの次のフレーム、つまり、点滅マーカＭＫの点滅状態が変化した後の２番目の画像フレームが投影され、前々回のフレームにおける点滅マーカＭＫの画像３ａからの点滅状態の変化が受光センサＳＥＮにより検出され、映像伝送時間Ｘｄが求められることになる。
【０１０８】
（Ｍａ＝Ｍｂ＜Ｍｃの場合）
記録周期Ｍｃが投影周期Ｍｂよりも大きい場合には、測定用カメラＣＭ２が投影地刻時タイマＴ２の表示固定後に投影画像を撮影できずに次のフレーム描き替え後に撮影することが生じうる。すると、刻時タイマＴ１の表示値はＭａだけ大きく、両刻時タイマの表示値から映像伝送時間Ｘｄを求めた際にＸｄの真値よりも小さくなり、Ｘｄの真値がＭａよりも大ならば求めた値が負となることもある。
【０１０９】
上述の現象を観測するには、撮像周期Ｍａの数倍程度に点滅周期Ｍｋを十分に長くした上で、点滅マーカの複数回の状態変化にわたって映像伝送時間Ｘｄを求めなければならない。この結果得られた複数の映像伝送時間Ｘｄの中に、この現象に起因するものがあれば、前述のＭａ＝ＭｂからＸｄが量子化誤差範囲内で一定のはずであり、容易に見分けられるので、それらは測定値として採用しないようにできる。なお、記録データ整理時の煩雑さを避ける上でも、記録周期Ｍｃは投影周期Ｍｂよりも小さくすることが望ましい。
【０１１０】
（Ｍａ＝Ｍｂ＝Ｍｃの場合）
ところで、投影周期Ｍｂと記録周期Ｍｃとが等しい場合、つまり、Ｍａ＝Ｍｂ＝Ｍｃの場合、投影地刻時タイマＴ２の表示の固定時刻と記録時刻とが偶然同じになると、常に変わり目に記録されるので、映像からの値の読取りが不明瞭となる。このような場合には、測定用カメラＣＭ２を再起動することにより記録時刻のタイミングをずらすことによって対処できる。
【０１１１】
（Ｍａ＜Ｍｂの場合）
以下では、図９、図１０を参照して説明する。これらの図は、横軸に正規化時間χをとって、縦軸に示す映像伝送時間Ｘｄの時間変化を示す。図中の黒点は、点滅マーカＭＫの映像が状態変化する可能性のあるタイミングを示す。従って、黒点の横軸方向における間隔は、投影周期Ｍｂの間隔である。なお、縦軸は横軸に対して拡大表示されている。
【０１１２】
撮像周期Ｍａが投影周期Ｍｂよりも小さい場合には、図９に示すように、映像伝送時間Ｘｄが右上がりの鋸歯状の時間変化をする。これは、Ｍａ＜Ｍｂ、という条件のもとにおいて、フレームを送る毎に遅延が増加し、その増加の積算値が撮像周期Ｍａを超えて未投影のフレームが１枚発生すると、図９における期間ｇにおいて、受信バッファ中の１フレーム分が破棄され、積算遅延がゼロまたはゼロ近くに戻されるという状況を反映している。
【０１１３】
つまり、撮像用ビデオカメラＣＭ１の撮像周期Ｍａ毎に、ΔＭ＝Ｍｂ−Ｍａだけ映像伝送時間Ｘｄが増加する。このように遅延が増加するので、映像伝送時間Ｘｄは、フレームの伝送毎に直線的に増加し、受信バッファ中の１フレーム分が破棄されることにより、図９に示すように、振幅がＭａの鋸歯状特性が現れる。
【０１１４】
ところで、図９は、撮像周期ＭａがΔＭ＝Ｍｂ−Ｍａによって割り切れない場合、つまり、Ｍａ／ΔＭが整数とならない場合を示している。ここで、この除算Ｍａ／ΔＭの余りをＲＸｄとする。鋸歯状の時間変化をする映像伝送時間Ｘｄが複数回の鋸歯状変化をした後に同じ状態に戻るとき、その１周期の測定結果を得るには、少なくともＭａとＲＸｄの最小公倍数の枚数だけの測定をする必要がある。
【０１１５】
図９において、隣り合う鋸歯パターンにおける対応する状態変化発生可能点（すなわち黒点）のχ軸方向の差分αと、Ｘｄ軸方向の差分βは、近似的にそれぞれ、α＝Ｎ・Ｍｂ（Ｎは整数）、β＝ＲＸｄと表される。
【０１１６】
上述のＲＸｄがゼロの場合は、β＝０となり、図１０に示すようになる。この図に示すように、ＲＸｄがゼロであると、得られた映像伝送時間Ｘｄの最大値あるいは最小値は、ΔＭに等しい大きさの誤差を有することになる。
【０１１７】
また、Ｍａ＜Ｍｂの場合において、パケット損失が発生した場合や、測定用カメラＣＭ２の記録周期Ｍｃと映像投影装置ＤＳＰの投影周期Ｍｂの大小関係の影響などについては、それぞれ、上述の（Ｍａ＝Ｍｂ＞Ｍｃ、パケット損失がある場合）や、（Ｍａ＝Ｍｂ＝Ｍｃの場合）などと同様に考えて処理することができる。
【０１１８】
（Ｍａ＞Ｍｂの場合）
撮像周期Ｍａが投影周期Ｍｂよりも大きい場合には、上述の図９、図１０において、χ軸を時間反転した図（左右反転した図）となる。これは、ΔＭ＝Ｍｂ−Ｍａが負、すなわち、ΔＭ＜０、となり、撮像周期Ｍａ毎に、−ΔＭだけ映像伝送時間Ｘｄが減少するからである。他の時間関係に対する取扱いは、上述のＭａ＜Ｍｂの場合と同様に行える。
【０１１９】
（点滅マーカの点滅周期Ｍｋ）
次に、図１１を参照して、点滅マーカＭＫの点滅周期Ｍｋの影響を説明する。図１１は、前述の図９、図１０と同様に正規化時間χに対する映像伝送時間Ｘｄの時間変化を示す。
【０１２０】
（Ｍａ＜Ｍｂ＜Ｍｋの場合）
点滅周期Ｍｋが投影周期Ｍｂより大きい場合、点滅マーカＭＫの映像３ａの描き替え毎（受信フレーム毎）には、点滅マーカＭＫの状態変化は発生せず、状態変化の見られるフレームは、図１１に、符号ｑ１などで示すように、飛びとびとなる。なお、図１１において、点滅マーカＭＫの状態変化点が符号ｐ１等で示されており、その各符号ｐ１等に対応する測定可能点が各符号ｑ１等によって示されている。また、図１１中に、投影装置ＤＳＰの投影周期と測定用カメラＣＭ２の撮像周期の差などによる撮像遅れＤｔが示されている。
【０１２１】
ところで、図１１は、点滅周期Ｍｋが投影周期Ｍｂによって割り切れない場合、つまり、Ｍｋ／Ｍｂが整数とならない場合を示している。この除算Ｍｋ／Ｍｂの余りをＲＭｋとすると、ＲＭｋとＭｋの最小公倍数に等しい数の複数の鋸歯状パターンを周期として、状態変化の投影画面への反映タイミングが変化して行く。
【０１２２】
従って、鋸歯状特性の１周期を得るための記録フレーム数（測定用カメラＣＭ２によって一定周期で記録される画像フレーム数）に、この周期数を併せて考えると、映像伝送時間Ｘｄの特性を知るには、ＲＸｄとＭａとの最小公倍数と、ＲＭｋとＭｋとの最小公倍数と、の積の数枚の投影フレームの記録が必要であることが分かる。
【０１２３】
測定用カメラＣＭ２による撮影時間、すなわち、測定に必要な最短時間は、上述の議論から決定される。また、余りＲＭｋがゼロならば、ＲＸｄとＭａとの最小公倍数と、Ｍｋとの積の数枚の投影フレームの記録が必要となる。
【０１２４】
また、鋸歯状特性の振幅はＭａであるから、点滅周期Ｍｋ毎に得られる映像伝送時間Ｘｄをプロットすると、その値の変化範囲は当然、撮像周期Ｍａ以下である。
【０１２５】
ところで、撮像周期Ｍａは、投影像中の被写体である撮像地刻時タイマＴ１の値を、各フレームについて追って行くことにより容易に知ることができる。また、測定に要する時間を見積もるためには、投影周期Ｍｂも知る必要がある。この場合、投影地刻時タイマＴ２の表示固定が、Ｎを自然数としたとき、投影周期ＭｂのＮ倍、または（Ｎ＋１）倍が略点滅周期Ｍｋとなる、つまり、Ｍｋ＝Ｎ・Ｍｂ、または、Ｍｋ＝（Ｎ＋１）・Ｍｂとなるように繰り返されることが判るので（図１１参照）、この関係をもとにして投影周期Ｍｂを容易に知ることができる。
【０１２６】
（点滅周期Ｍｋを大きくする効果）
ここで単位時間ΔＴで各値を正規化する前に戻り、記録された映像データから得られるデータの傾向を考察する。点滅マーカＭＫの状態変化毎に、（Ｔｂ−Ｔａ）に、（Ｔｋ／Ｔｂ）を乗じた時間だけ映像伝送時間ｔｄが長くなる。そこで、状態変化を追いながらデータを処理して行くことは、等価的には、単位時間ΔＴを（ΔＴ・Ｔｂ／Ｔｋ）として各値を正規化することになる。
【０１２７】
これは、四捨五入丸め演算ｆ［＊］をより下位の桁で行うことに等しく、ＭｂとＭａとが等しいことや、ＲＸｄがゼロであることが生じにくくなる。これは、単位時間ΔＴをゼロに近づけた（ΔＴ→０）極限である連続時間について考えれば容易に理解できる。従って、点滅周期Ｔｋを大きくとって測定すると、図１０、図１１に示されるような関係にならずに、時間経過と共に映像伝送時間ｔｄが変化する測定結果が得やすくなるという効果が奏される。
【０１２８】
（画像表示方式と点滅マーカ）
ラスタスキャン方式の映像投影装置では、画面内における点滅マーカＭＫの映像３ａの位置によって異なる映像伝送時間ｔｄが得られる。従って、映像伝送システム１０の方式の違いによる映像伝送時間ｔｄの比較を行うような場合には、比較基準を一定にするため、点滅マーカＭＫの投影映像内位置などを同じ条件にする必要がある。例えば、投影像の中心位置の描き替え時刻をもって映像伝送時間ｔｄを定義するならば、この位置に点滅マーカＭＫの映像３ａが存在するように撮像地Ａにおける点滅マーカ配置を決めるか、被測定システム１０の撮像用ビデオカメラＣＭ１の視野を調整するかしなければならない。
【０１２９】
また、投影地Ｂ側では、測定用カメラＣＭ２で記録撮影する前に受光センサＳＥＮの位置と点滅マーカＭＫの映像３ａの位置とを一致させる準備作業をしなければならない。また、光量に応じた受光センサＳＥＮのスレショルド調整なども必要である。
【０１３０】
上述の点滅マーカＭＫとして、より小さな発光源を採用すると、より精度の良い測定結果を得ることができる。また、点滅マーカＭＫの周囲にある光源の影響を避けるようにすることが望ましい。例えば、投影地側において、受光センサＳＥＮによって点滅マーカＭＫの点滅のみを確実に捉えるために、点滅マーカＭＫの映像３ａの大きさに比べて受光センサＳＥＮの受光面を小さくすることが望ましい。
【０１３１】
また、映像投影装置ＤＳＰがインターレーススキャン方式である場合には、点滅マーカＭＫの状態変化を受光センサＳＥＮが検出する時刻に、２ラスタ分の量子化誤差が存在する。プログレッシブ方式の場合は、１ラスタ分の量子化誤差が存在する。このように、例えば、ＮＴＳＣの場合、１ラスタ時間は６３．５μｓであり、ΔＴを１００μｓにすると、この量子化誤差が測定値に明確に観測されるはずであることに留意が必要である。
【０１３２】
（実施例）
つぎに、具体的な実施例を説明する。図１２は測定用カメラによって撮像された記録画像フレームの１枚を示し、図１３は測定を実施している様子を示す。図１２において、映像投影装置１３の映像１３ａの中に表示された撮像地刻時タイマ２の映像２ａと、投影地刻時タイマ５の映像５ａと、受光センサ４の映像４ａとが、記録されている。点滅マーカ３の映像３ａは、受光センサの映像４ａに隠されている。また、受光センサからの信号配線の映像４ｂが記録されている。
【０１３３】
本実施例では、撮像地刻時タイマ２と、投影地刻時タイマ５とは、同等構成の刻時タイマが用いられている。各刻時タイマには、点滅して刻時する発光源の他に、画像検出や視認性容易化のための位置決め発光源、点滅マーカ３、さらに、７セグメント数字表示器などが、組み込まれている。以下に、他の構成や条件設定を含めて、詳細説明する。
【０１３４】
各刻時タイマは、刻時させながら地理的に離れた場所に移して設置するので、電源として電池を用い、回路構成には、ＣＭＯＳ素子を用いて電力消費を押さえている。単位時間ΔＴだけ確実に点灯させて刻時する数字相当の発光源は、直径が５ｍｍの赤色ＬＥＤを用いている。発光源の配置は横長として、７桁分の表示を可能としている。また、読取り補助のために各桁に７セグメント数字表示器を併置している。
【０１３５】
時間基準として１２．８ＭＨｚの温度補償型水晶発振器を採用し、発振周期を調整して刻時を一致させている。刻時の単位時間ΔＴは、０．１ｍｓから９．９ｍｓまで０．１ｍｓ刻みで設定可能である。また、記録画像フレームにおける撮影時刻を読み取る際にガイドとして用いるため、連続点灯させる直径が３ｍｍの緑色ＬＥＤを備えている。各刻時タイマの時刻の桁あふれは、最短時間１，０００ｓ、最長時間９９，０００ｓで生じる構成となっている。両刻時タイマの誤差は、単位時間ΔＴ＝０．１ｍｓ、温度２６℃の約６０分の同温放置後において、表示が３の誤差であった。
【０１３６】
点滅マーカ３の点滅周期Ｍｋは、１０ΔＴ、１００ΔＴ、１，０００ΔＴ、１０，０００ΔＴに設定可能とし、点灯時間は点滅周期Ｍｋの５分の１、Ｍｋ／５の時間としている。受光センサ４の受光部は、フォトトランジスタを用いており、その出力遅れは０．０８ｍｓ（カタログ値）である。
【０１３７】
測定に際して誤操作を避けるため、刻時開始スイッチは撮像地刻時タイマ２のみに設けた。また、このスイッチは、両刻時タイマの同期用回路を切離した後に不用意に再投入することのないように錠付きスイッチとした。
【０１３８】
図１３の記録画像は、撮像用ビデオカメラ１１からのＮＴＳＣ−ＴＶフレームの画像を、ＣＲＴタイプの映像投影装置１３に投影表示したものの画像である。ＣＲＴでは蛍光体の残光特性があるので、測定用カメラのシャッタ開口時間内にタイマ像が描画されると明瞭な像が記録できる。しかしながら、映像伝送時間を測ることができるが、長いシャッタ開口が必要であり、測定用カメラのシャッタ開口中にマーカ像の状態変化が発生し、前後のタイマ表示値が同じフレームに重なって記録されることがあり、注意を要する。この点、液晶ディスプレイでは、残光によらずに、画像が保持されているので、記録用カメラのシャッタ開口時間を短くして対処でき、ＣＲＴよりも明瞭な記録画像が得られ、読取りが容易になる。ただし、液晶ディスプレイでは描画時間（液晶の状態変化時間）が１０ｍｓ前後であるので、記録用カメラのシャッタ時間が短くても残像が明瞭に記録される点に注意が必要である。
【０１３９】
次に、上述の構成を備えた映像伝送時間測定システム１のもとで測定した例を、図１４の測定結果を参照して説明する。この測定例における被測定システム１０の構成は、撮像用ビデオカメラＣＭ１がＮＴＳＣビデオカメラであり、ネットワーク１２がＬｉｎｕｘ２．４．１８上のＲｅａｌＳｙｓｔｅｍ８．５を等価的に扱ったものであり、映像投影装置ＤＳＰが液晶ディスプレイである。映像伝送時間測定システム１の構成は、両刻時タイマＴ１，Ｔ２の単位時間ΔＴが０．１ｍｓ、点滅マーカＭＫは光電素子（ＬＥＤ）から成り、その点滅周期Ｔｋが０．１ｓである。受光センサＳＥＮは、点滅マーカＭＫの消灯から点灯への状態変化を利用するように設定した。
【０１４０】
図１４において、横軸は点滅マーカＭＫ像の明暗状態変化を検出した時刻を示し、縦軸は測定された映像伝送時間ｔｄを示す。繰り返し測定された映像伝送時間ｔｄは変動しており、その測定値がＲｅａｌＳｙｓｔｅｍ８．５のフレーム取り込み周期（図６における撮像周期Ｔａに相当）０．０６６７ｓの範囲内に納まっていることが分かる。この周期は、図１１に関連して上述したように、投影像中の被写体である撮像地刻時タイマＴ１の値を、各フレームについて追って行くことにより容易に知ることができる。
【０１４１】
なお、本発明は、上記構成に限られることなく種々の変形が可能である。例えば、点滅マーカＭＫは、１個だけでなく、同時に点滅するものを複数設けることができる。これは、点滅マーカＭＫの映像３ａが、投影地刻時タイマＴ２の表示を固定するトリガとして用いられる他に、記録された画像フレームから投影地刻時タイマＴ２の表示が固定された画像フレームを選択する目印としても用いられることから、効果的である。
【０１４２】
すなわち、受光センサ４によって点滅マーカＭＫの映像３ａの明暗状態を検出する場合、受光センサ４の受光部は、画面上の映像３ａに密着させるように配置される。すると、映像３ａが受光センサ４の受光部によって覆われるので、測定用カメラＣＭ２によって記録された測定用映像には映像３ａが写らないことになる。点滅マーカＭＫを複数にすると、映像投影装置１３の画面に複数の映像３ａが得られるので、測定用映像に映像３ａを記録でき、上述の効果が奏される。
【０１４３】
また、複数の点滅マーカＭＫの複数の映像３ａのどれを受光センサによって検出するかによって映像伝送時間ｔｄの画面位置に対する依存性を測定することもできる。
【０１４４】
また、点滅マーカＭＫの状態変化の検出は、点滅マーカＭＫの明状態から暗状態への変化、またはその逆、またはその両方を検出する方法のいずれを採用してもよい。さらに、点滅マーカＭＫの状態変化は、明暗状態の変化に限らず、色調の変化を検出するようにしてもよい。
【０１４５】
本発明は、上述した各実施形態の構成を矛盾のない範囲で互いに組み合わせた構成とすることができ、そのような組合せ可能な構成の実施形態は明記されていなくても当然に本発明に含まれる。なお、時間の単位の秒の表記として、ｓとｓｅｃを区別せずに適宜用いている。
【図面の簡単な説明】
【０１４６】
【図１】本発明の一実施形態に係る映像伝送時間測定システムのブロック構成図。
【図２】同上システムの模式的構成図。
【図３】一実施形態に係る映像伝送時間測定方法についてのフローチャート。
【図４】同上システムおよび測定方法において用いられる刻時タイマの説明図。
【図５】同上システムおよび測定方法における映像伝送時間測定の原理説明図。
【図６】同上システムおよび測定方法における映像伝送時間測定の他の説明図。
【図７】（ａ）は同上システムおよび測定方法において投影地刻時タイマの表示を一時的に固定する場合の時刻表示の時間変化図、（ｂ）は同タイマの表示を切り換えて固定する場合の時刻表示の時間変化図。
【図８】同上システムおよび測定方法によって映像伝送時間を連続測定する場合のフローチャート。
【図９】同上システムおよび測定方法において連続的に測定した場合における映像伝送時間の時間変化図。
【図１０】同上システムおよび測定方法において連続的に測定した場合における映像伝送時間の時間変化の他の例を示す図。
【図１１】同上システムおよび測定方法において連続的に測定した場合における映像伝送時間の時間変化のさらに他の例を示す図。
【図１２】同上システムおよび測定方法における測定用カメラによる刻時タイマの映像例の説明図。
【図１３】同上刻時タイマの映像を示す図。
【図１４】同上システムおよび測定方法による測定結果を示す図。
【符号の説明】
【０１４７】
１    映像伝送時間測定システム
２    刻時タイマ（撮像地用）
３    点滅マーカ
４    受光センサ
５    刻時タイマ（投影地用）
６    測定用カメラ
７    測定用表示装置
８    画像処理装置
１０    映像伝送システム
１１    撮像用ビデオカメラ
１２    ネットワーク
１３    投影装置
２ａ    映像（撮像地刻時タイマの）
３ａ    映像（点滅マーカの）
４ａ    映像（受光センサの）
５ａ    映像（投影地刻時タイマの）
Ａ    撮像地
Ｂ    投影地
ＣＭ１    撮像用ビデオカメラ
ＣＭ２    測定用カメラ
ＤＳＰ    投影装置
Ｌ    発光源
ＭＫ    点滅マーカ
ＳＥＮ    受光センサ
Ｔ１    刻時タイマ（撮像地用）
Ｔ２    刻時タイマ（投影地用）
Ｔａ，Ｍａ    撮像周期（撮像用ビデオカメラの）
Ｔｂ，Ｍｂ    投影周期（投影装置の）
Ｔｃ，Ｍｃ    記録周期（測定用カメラの）
Ｔｋ，Ｍｋ    点滅周期（点滅マーカの）
ΔＴ    単位時間
【図１】
0004810545.tif 000002
【図２】
0004810545.tif 000003
【図３】
0004810545.tif 000004
【図４】
0004810545.tif 000005
【図５】
0004810545.tif 000006
【図６】
0004810545.tif 000007
【図７】
0004810545.tif 000008
【図８】
0004810545.tif 000009
【図９】
0004810545.tif 000010
【図１０】
0004810545.tif 000011
【図１１】
0004810545.tif 000012
【図１４】
0004810545.tif 000013
【図１２】
0004810545.tif 000014
【図１３】
0004810545.tif 000015